(57)【要約】【課題】  主に上ケースと下ケースとがビス止めによって接合されるケースに対し、不正に分解されたか、否かを一目で確実に識別できるようにして、その不正行為を心理的に防止するようにした記録メディアカートリッジの提供を課題とする。【解決手段】  上ケース１６と下ケース１８とが互いの周壁１６Ａ、１８Ａを当接させて接合され、記録メディアＴを収容するケース１２を備えた記録メディアカートリッジ１０において、ケース１２の周壁１２Ａに、上ケース１６と下ケース１８とに跨る凹部４７を形成するとともに、凹部４７内に、上ケース１６と下ケース１８とに跨って再接着不可能なシール部材６０を貼付する。【選択図】      図５
2005135487.tif 000002
【特許請求の範囲】
【請求項１】
上ケースと下ケースとが互いの周壁を当接させて接合され、記録メディアを収容するケースを備えた記録メディアカートリッジにおいて、
前記ケースの周壁に、上ケースと下ケースとに跨る凹部を形成するとともに、該凹部内に、上ケースと下ケースとに跨って再接着不可能なシール部材を貼付したことを特徴とする記録メディアカートリッジ。
【請求項２】
前記シール部材は、前記凹部内の少なくとも２面に跨って貼付されていることを特徴とする請求項１に記載の記録メディアカートリッジ。
【請求項３】
前記凹部が前記ケースの角部に形成されていることを特徴とする請求項１又は２に記載の記録メディアカートリッジ。
【発明の詳細な説明】
【技術分野】
【０００１】
本発明は、主にコンピューター等の記録再生媒体として使用される光ディスク、磁気ディスク、磁気テープ等の記録メディアをケース内に収容してなる記録メディアカートリッジに関する。
【背景技術】
【０００２】
従来から、コンピューター等のデータ記録再生媒体として使用されている磁気テープを単一のリールに巻装し、そのリールをケース内に収容してなる磁気テープカートリッジ（記録メディアカートリッジ）が知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開口から露出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような構成の磁気テープカートリッジ（記録メディアカートリッジ）において、磁気テープを巻装した単一のリールが収容される合成樹脂製ケースは、主に略矩形トレイ状の上ケースと下ケースとが超音波溶着やビス止め等によって接合されてなる。特にビス止めによって上ケースと下ケースとが接合される場合には、上ケースと下ケースの角部付近等に、それぞれ互いに対向して当接するビスボスが立設され、下ケースの下面（底面）側からそのビスボスにビスが螺合されて、上ケースと下ケースとが接合される構成になっている（例えば、特許文献１参照）。
【特許文献１】特開平１１−３３９４３６号公報
【発明の開示】
【発明が解決しようとする課題】
【０００５】
しかしながら、このように、ビス止めによって上ケースと下ケースとが接合されていると、ケースの分解が容易にできてしまう問題があった。すなわち、例えばケース内に収容されている磁気テープがリール毎すり替えられたり、磁気テープカートリッジ（記録メディアカートリッジ）についての各種情報が記録されたメモリーボードがすり替えられて、本来記録不可とされたものが上書きされてしまうなどのトラブルが発生するおそれがあった。特に、１度書き込んだら、読み込み専用となって上書きできないようになるＷＯＲＭ（Ｗｒｉｔｅ  Ｏｎｃｅ  Ｒｅａｄ  Ｍａｎｙ）カートリッジの場合、重要なデータが記録されることが多いので、このような改ざんが行われると、その被害は甚大なものになってしまう。
【０００６】
一方、このような不正行為を防止するために、上ケースと下ケースとを超音波溶着等によって接合してなる磁気テープカートリッジがある。しかしながら、この磁気テープカートリッジの場合には、全周に亘って溶着されると、時として磁気テープ自体や、ケース内に配設されている各種摺動部材等の動きに影響を及ぼすおそれがあった。例えば、スライド（摺動）して開口を開閉するドアを備えた磁気テープカートリッジの場合には、そのドアの摺動性が損なわれるという不具合が起きるおそれがあった。そのため、部分的に溶着することも考えられたが、これでは不正に分解される行為を完全に防ぎきることができなくなってしまう。
【０００７】
また更に、図８（Ａ）で示すように、ケース７２のドライブ装置への装填側周壁と対向する周壁（後壁）７４に、上ケース７６と下ケース７８とに跨ってラベルＲを貼付し、心理的にケース７２を分解させないようにすることも考えられた。しかしながら、この場合には、図８（Ｂ）で示すように、そのラベルＲが貼付された後壁７４の上ケース７６と下ケース７８の当接部分（パーティングライン部分）７０をヒンジとしてケース７２の前側を開放することができる（下ケース７８から上ケース７６を離間できる）ので、不正に分解されたか、否かの判断が付け難かった。
【０００８】
そこで、本発明は、主に上ケースと下ケースとがビス止めによって接合されるケースに対し、不正に分解されたか、否かを一目で確実に識別できるようにして、その不正行為を心理的に防止するようにした記録メディアカートリッジを得ることを目的とする。
【課題を解決するための手段】
【０００９】
上記の目的を達成するために、本発明に係る請求項１に記載の記録メディアカートリッジは、上ケースと下ケースとが互いの周壁を当接させて接合され、記録メディアを収容するケースを備えた記録メディアカートリッジにおいて、前記ケースの周壁に、上ケースと下ケースとに跨る凹部を形成するとともに、該凹部内に、上ケースと下ケースとに跨って再接着不可能なシール部材を貼付したことを特徴としている。
【００１０】
請求項１の発明では、ケースの周壁に、上ケースと下ケースとに跨る凹部を形成し、その凹部内に、上ケースと下ケースとに跨って再接着不可能なシール部材を貼付したので、そのシールされた部分をヒンジとしてケースを開放することはできず、不正に分解しようとした場合には、そのシール部材が確実に剥がれる。つまり、不正に分解された場合には、それを一目で識別することができるので、その不正行為を心理的に防止することができる。
【００１１】
また、請求項２に記載の記録メディアカートリッジは、請求項１に記載の記録メディアカートリッジにおいて、前記シール部材が、前記凹部内の少なくとも２面に跨って貼付されていることを特徴としている。
【００１２】
請求項２の発明では、シール部材が、凹部内の少なくとも２面に跨って貼付されているので、ケースを不正に分解しようとする者に対し、分解し難い印象を与えることができる。また、実際に、そのシール部材によって、ケースを分解し難い構造にできる。
【００１３】
また、請求項３に記載の記録メディアカートリッジは、請求項１又は２に記載の記録メディアカートリッジにおいて、前記凹部が前記ケースの角部に形成されていることを特徴としている。
【００１４】
請求項３の発明では、シール部材を貼付する凹部がケースの角部に形成されているので、ケースを不正に分解しようとする者に対し、分解し難い印象を与えることができる。また、実際に、そのシール部材によって、ケースを分解し難い構造にできる。
【発明の効果】
【００１５】
以上、何れにしても本発明によれば、主に上ケースと下ケースとがビス止めによって接合されるケースに対し、不正に分解されたか、否かを一目で確実に識別することができる。したがって、そのような不正行為を心理的に防止することができる。
【発明を実施するための最良の形態】
【００１６】
以下、本発明の実施の形態に係る記録メディアカートリッジを、図面に示す磁気テープカートリッジ１０を例に採って説明する。なお、説明の便宜上、磁気テープカートリッジ１０のドライブ装置への装填方向を矢印Ａで示し、それを磁気テープカートリッジ１０の前方向（前側）とする。そして、矢印Ａと直交する矢印Ｂ方向を右方向とする。
【００１７】
図１乃至図４で示すように、磁気テープカートリッジ１０は、平面視で略矩形状の合成樹脂製ケース１２内に、情報記録再生媒体である磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１８】
また、上ケース１６及び下ケース１８の周壁１６Ａ、１８Ａの切り取られた角部が磁気テープＴを引き出すための開口２０とされ、この開口２０から引き出される磁気テープＴの自由端に、ドライブ装置の引出手段（図示省略）によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１９】
また、ケース１２の開口２０の内側、即ち上ケース１６の天板内面及び下ケース１８の底板内面には、ケース１２内においてリーダーピン２２を位置決めして保持する上下一対のピン保持部２４が設けられている。このピン保持部２４は、磁気テープＴの引き出し側が開放された略半円筒形状をしており、直立状態のリーダーピン２２の両端部は、その開放側からピン保持部２４の凹部２４Ａ内に出入可能とされて保持される。
【００２０】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下両端部にそれぞれ係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００２１】
更に、下ケース１８の中央部には、リール１４のリールギア（図示省略）を外部に露出するためのギア開口２６が設けられており、リール１４はリールギアがドライブ装置の駆動ギア（図示省略）に噛合されて、ケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００２２】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２３】
また、下ケース１８の右後部には、各磁気テープカートリッジ１０毎に、その各種情報を記憶されたメモリーボードＭが設置されるようになっており、ケース１２の下面（底面）側から読み取るドライブ装置と、後壁（背面）側から読み取るライブラリー装置（複数の磁気テープカートリッジ１０を収容し、ドライブ装置に対して自動的に装填・取出をする装置）での検知が可能となるように、下ケース１８の両端部を除く後部内壁１８Ｂが所定角度の傾斜面に形成され、メモリーボードＭがその後部内壁１８Ｂと支持突起１９とにより支持されて、所定角度に傾斜配置されるようになっている。
【００２４】
また、下ケース１８の左後部には、その磁気テープカートリッジ１０への記録可・不可が設定されるライトプロテクト（図示省略）が設けられるようになっており、ライトプロテクトを操作する操作突起（図示省略）が突出する開孔１７が穿設されている。更に、上ケース１６と下ケース１８の後壁には、ラベルＲを貼付するためのラベルエリア４３、４５がそれぞれ形成されており、ケース１２の組立後（上ケース１６と下ケース１８とを接合後）に、ラベルＲが上ケース１６と下ケース１８とに跨って貼付されるようになっている。
【００２５】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２６】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２７】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を略矩形状に切り欠いて形成され、開口２０側へも開放されている。このように、スリット４０が周壁１６Ａの一部を上側に残して形成されると、ケース１２の剛性を維持することができるので好ましい。
【００２８】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁１２Ｃ側にも形成され、例えばドライブ装置の引き込み手段（図示省略）が係合する係合部とされたり、その天面（下向きの面）がドライブ装置内での位置決め用の基準面とされるようになっている。
【００２９】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁１２Ｃの上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００３０】
また、前壁１２Ａの下側（周壁１８Ａ）で、かつ左壁１２Ｃ側には、底面視で内側に略三角形状に凹んだ位置規制用凹部４９が形成されている。この位置規制用凹部４９は、磁気テープカートリッジ１０をドライブ装置に装填したときに、そのドライブ装置側に設けられた係合部材（図示省略）と係合するようになっており、これによって、ドライブ装置内における磁気テープカートリッジ１０の位置が規制される。そして、この位置規制後に、袋部２８Ａ、２９に形成された位置規制用穴にドライブ装置側の位置決め部材（図示省略）が挿入されることによって、磁気テープカートリッジ１０がドライブ装置内において精度よく位置決めされるようになっている。
【００３１】
また、上ケース１６及び下ケース１８において、傾斜壁部３０の近傍と、開口２０近傍から後壁の近傍まで、後述するドア５０の凸部５１を内面側及び外面側の両側方から挟み込むように支持する所定高さ（例えば、１．０ｍｍ〜１．５ｍｍ程度）のガイド壁部４２が立設されている。このガイド壁部４２は、平面視略円弧状に形成されるとともに、上ケース１６と下ケース１８とではその長さが異なっており、上ケース１６側の方が下ケース１８側よりも後側が長く形成されている。これは、下ケース１８の後部内壁１８Ｂの右壁１２Ｂ側に、メモリーボードＭを所定角度で傾斜配置しているからである。
【００３２】
また、ガイド壁部４２の後端部は平面視略円弧状に閉塞されており、ドア５０がそれ以上後方へ移動できないように、上下それぞれ最も後側の凸部５１を規制するようになっている。一方、ガイド壁部４２の前端部は開放されており、リーダーピン２２の出入時に、そのリーダーピン２２の出入を妨げないような位置、例えばピン保持部２４よりも後方側で、かつ開口幅の約半分程度の位置まで延設されている。
【００３３】
また、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３４】
以上、説明した上ケース１６と下ケース１８とは、所定位置に配設されたビスボス（図示省略）と、開口２０の縁部の近傍に位置する各ビスボス３２、３６に、下側から図示しないビスがねじ込まれて、固定（接合）される構成である。これにより、特に傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、磁気テープカートリッジ１０全体の重量で変形したり、座屈して位置ずれしたりしない構成である。
【００３５】
また、その開口２０は、遮蔽部材としてのドア５０によって開閉されるようになっている。ドア５０は、少なくとも開口２０を閉塞する部分の板幅（高さ）が開口２０の開口高さと略同一に形成され、その板長が開口２０の開口幅よりも充分大きく形成されている。そして、所定の円周に沿って移動できるように、板厚方向に湾曲した平面視略円弧状に形成されている。
【００３６】
このドア５０は、その先端部が傾斜壁部３０近傍のガイド壁部４２に入り込んだ状態で開口２０を閉塞し、上記した所定の円周に沿って略後方へスライド（摺動）して開口２０を開放し、その先端近傍の外周面がビスボス３６近傍に達すると、開口２０を完全に開放する構成になっている。そして、開口２０を開放する際と反対方向にスライド（摺動）することにより、開口２０を閉塞する構成になっている。
【００３７】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置されたメモリーボードＭを回避するために、斜めに切り欠かれている。
【００３８】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さになるように突設されている。なお、最後側の凸部５１が上下対称でないのは、ドア５０の後下部が斜めに切り欠かれていることによる。
【００３９】
このような凸部５１を設けると、ガイド壁部４２のガイド面並びにガイド壁部４２間の上ケース１６内面及び下ケース１８内面と、ドア５０との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００４０】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部には、最後端側の凸部５１が当接している。
【００４１】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを防止するようにしている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４２】
すなわち、ドア５０の後端近傍の内周面には、背面視略「Ｌ」字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けられる。
【００４３】
また、上ケース１６には、ドア５０の開閉時に、ばね保持部５４の上端が摺接するリブ５７が、平面視略円弧状に立設されている。このリブ５７は、少なくともドア５０が移動（開放）し始める際には、ばね保持部５４の上端が摺接できるような位置及び長さに配設され、コイルばね５６の付勢力に抗して移動するばね保持部５４を好適にガイドすることにより、ドア５０がより安定して開放されるように（開放時にドア５０がコイルばね５６の付勢力によってブレないように）している。
【００４４】
以上のような磁気テープカートリッジ１０において、ケース１２の前壁１２Ａの所定位置（リール１４やばね保持部２７等とは干渉しない適宜位置）には、平断面視で略等脚台形状にケース１２の内方へ凹んだ凹部４７が形成されている。この凹部４７は、図５で示すように、上ケース１６の周壁１６Ａと下ケース１８の周壁１８Ａに跨るように、前壁１２Ａの上下方向略中央に形成され、かつ、上ケース１６の天板及び下ケース１８の底板が切り欠かれないように形成されている。
【００４５】
すなわち、図３、図４で示すように、上ケース１６の天板部分を除く周壁１６Ａの一部が、ケース１２の内方へ平断面視で略等脚台形状に凹んで凹部４７Ａが形成され、下ケース１８の底板部分を除く周壁１８Ａの一部が、ケース１２の内方へ平断面視で略等脚台形状に凹んで凹部４７Ｂが形成されており、これら凹部４７Ａ、４７Ｂが、ケース１２の組立後（上ケース１６と下ケース１８とを接合後）に互いに連通することにより、凹部４７が形成されるようになっている。
【００４６】
このような凹部４７を設けると、前壁１２Ａ（周壁１６Ａ、１８Ａ）の剛性を高めることができる。すなわち、前壁１２Ａ（周壁１６Ａ、１８Ａ）の一部を折り曲げ加工したことになるので、その部分の捩り強度を向上させることができる。したがって、落下等によって前壁１２Ａに衝撃を受けても、その前壁１２Ａが撓み変形するのを抑制することができ、ピン保持部２４からのリーダーピン２２の脱落を防止することができる。
【００４７】
また、この凹部４７は、例えばドライブ装置に対する適用可・不可の識別用等として利用することも可能である。すなわち、ドライブ装置側に、位置規制用凹部４９に係合する係合部材とは別に、凹部４７に係合する係合部材（図示省略）を設け、各種磁気テープカートリッジをドライブ装置に装填したときに、凹部４７が形成されているものと、形成されていないものとを判別して、記録・再生が可能か、否かの判断がされるようにしてもよい。これによれば、磁気テープカートリッジの損傷やドライブ装置の故障を更に防止することができる。
【００４８】
また、このような凹部４７内には、上ケース１６と下ケース１８とに跨って再接着不可能なシール部材６０が貼付される。このシール部材６０は、例えば図６で示すように、粘着層側にアルミ蒸着が施されたポリエステルフィルム等からなる表面基材６２を有し、その表面基材６２を剥がすと、アルミ蒸着の一部が被着体６４（ケース１２）に残って、文字（例えば、ＮＯＴＩＣＥ：警告）や模様等を現出させる（表面基材６２にもその文字や模様等が抜き取られた状態で現れるが、図示は省略する）一般的な改ざん防止用ラベルシールであり、図５で示すように、凹部４７内の天板及び底板を除く３面のうち、少なくとも２面に跨るように貼付されている。
【００４９】
したがって、そのシールされた部分をヒンジとしてケース１２を開放させる（上ケース１６を下ケース１８から離間させる）ことはできず、無理にケース１２を分解して開放させたときには、少なくともどちらか１面に貼付されたシール部材６０の表面基材６２が確実に剥がれる。つまり、不正に分解された場合には、そのアルミ蒸着の一部がケース１２側に残り、上記したような文字や模様等が現出するので、ケース１２が不正に分解されたことが、一目で容易かつ確実に認識することができる。このため、その不正行為（分解行為）を心理的に防止することができる。
【００５０】
なお、シール部材６０の大きさ及び形状、枚数等は図示のものに限定されるものではないが、上記したように、凹部４７内の天板及び底板を除く３面のうち、少なくとも２面に跨って１枚のシール部材６０を貼付することが好適である。これによれば、ケース１２を不正に分解しようとする者に対して、分解し難い印象を与えることができるとともに、実際に、ケース１２を分解し難い構造とすることができる。
【００５１】
また、上記したように、ケース１２の後壁において、上ケース１６と下ケース１８とに跨ってラベルＲを貼付することが好ましく、これによれば、そのラベルＲとシール部材６０の作用によって、より一層不正な分解行為を阻止することができる。なお、ラベルＲは、一般に使用されている再接着可能な素材で構成してもよいし、シール部材６０と同様の再接着不可能な素材で構成してもよい。
【００５２】
また、シール部材６０としては、上記したような一般に市販されている改ざん防止用ラベルシールの他、不正な分解行為を更に心理的に抑制するために、警告を示す赤色や黄色に着色された改ざん防止用ラベルシールとしてもよい。そして、剥がされたときに現れる文字や模様等としては、会社名等をデザインしたものなど、模造品の作成が困難な特別仕様とするのが好ましい。これによれば、シール部材６０自体の改ざんを防止することができる。また、シール部材６０は再接着不可能な素材で構成する他、破れやすい素材等で構成してもよい。
【００５３】
更に、シール部材６０を貼付するための凹部４７は、図５で示したものに限定されるものではなく、例えば図７（Ａ）で示すように、ケース１２の開口２０を除く角部を略矩形状に切り欠いて形成してもよい。このような位置（角部）に凹部４７を形成して、上ケース１６と下ケース１８とに跨るとともに、その凹部４７内の２面に跨るように１枚のシール部材６０を貼付すれば、そのシールされた部分をヒンジとしてケース１２を開放させる（上ケース１６を下ケース１８から離間させる）ことはできないので、上記と同様な効果を得ることができる。
【００５４】
つまり、無理にケース１２を分解して開放させたときには、凹部４７内の少なくともどちらか１面に貼付されたシール部材６０の表面基材６２が確実に剥がれるので、不正に分解されたことが、一目で容易に判別できる。なお、ケース１２の開口２０を除く角部を略矩形状に切り欠いて凹部４７を形成する場合、図７（Ｂ）で示すように、上ケース１６の天板及び下ケース１８の底板を残した状態で形成するのが好ましい。このように天板及び底板を残して凹部４７を形成すると、磁気テープカートリッジ１０を取り扱う上で、シール部材６０の損傷を防ぐことができる。
【００５５】
以上のような構成の磁気テープカートリッジ１０において、次に、本実施の形態の作用について説明する。上記構成の磁気テープカートリッジ１０では、不使用時（保管時や運搬時等）には、開口２０がドア５０によって閉塞されている。そして、磁気テープＴを使用する際には、位置規制用凹部４９が形成されている側を先頭にして磁気テープカートリッジ１０を矢印Ａ方向に沿って、ドライブ装置のバケット（図示省略）内へ装填する。
【００５６】
すると、まず、そのバケット内に設けられている係合部材が位置規制用凹部４９内に相対的に進入し、係合（当接）する。そして、このとき、凹部４７にも係合する係合部材を設けておけば、それによって、ドライブ装置に対する磁気テープカートリッジ１０の識別（記録・再生可能か否かの判別）が可能となる。
【００５７】
つまり、記録・再生不可と判断された場合には、その磁気テープカートリッジ１０を取り出し、別のドライブ装置に装填することができるため、誤って記録・再生操作されることがない。よって、磁気テープカートリッジ１０が損傷したり、ドライブ装置が故障したりすることはない。なお、凹部４７は上ケース１６と下ケース１８とに跨って形成され、かつ平断面視で略等脚台形状に形成されているので、係合部材の配設位置に多少の誤差があっても、その係合部材に確実に係合される。
【００５８】
こうして、記録・再生可能と判断され、バケット内において位置規制されると、今度はそのバケット毎、矢印Ａ方向へ移動し、磁気テープカートリッジ１０のドア５０が開放される。すなわち、ドライブ装置側に設けられた開閉部材（図示省略）が、前方へ開放しているスリット４０に進入し、ドア５０の操作突起５２に係合する。
【００５９】
そして、この状態で、磁気テープカートリッジ１０がバケット毎、更に矢印Ａ方向へ移動すると、開閉部材が操作突起５２をコイルばね５６の付勢力に抗しつつ相対的に後方へ移動させる。すると、その操作突起５２が突設されているドア５０は、凸部５１がガイド壁部４２によって案内されつつ、その湾曲方向に沿って摺動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。
【００６０】
こうして、磁気テープカートリッジ１０がドライブ装置に所定深さ装填され、開口２０が完全に開放されると、袋部２８Ａ、２９に形成された位置規制用穴に、ドライブ装置の位置決め部材（図示省略）がそれぞれ挿入され、磁気テープカートリッジ１０がドライブ装置内において精確に位置決めされるとともに、ドア５０のそれ以上の摺動（略後方への移動）が規制される。
【００６１】
そして、開放された開口２０から、ドライブ装置の引出手段がケース１２内に進入し、ピン保持部２４に位置決め保持されたリーダーピン２２を把持して引き出す。なお、このとき、磁気テープカートリッジ１０はドライブ装置内において精確に位置決めされているので、引出部材は確実にリーダーピン２２を把持できる。
【００６２】
開口２０から抜き出されたリーダーピン２２は図示しない巻取リールに収容される。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００６３】
一方、磁気テープＴがリール１４に巻き戻されて、磁気テープカートリッジ１０をドライブ装置から排出する際には、位置規制用穴等から位置決め部材が抜き出され、磁気テープカートリッジ１０のドライブ装置に対する位置決め状態が解除される。そして、その磁気テープカートリッジ１０は図示しないイジェクト機構によって、矢印Ａ方向とは反対方向に、まずバケット毎移動される。
【００６４】
この移動に伴って、ドア５０は、その凸部５１がガイド壁部４２に案内されつつ、コイルばね５６の付勢力によって開口２０の閉塞方向へ摺動し、開口２０を完全に閉塞する（初期状態に復帰する）。開口２０が閉塞された磁気テープカートリッジ１０は、今度はバケット内から図示しないイジェクト機構によって、矢印Ａ方向とは反対方向に移動させられ、位置規制用凹部４９及び凹部４７がそれぞれの係合部材から離間して、ドライブ装置内から完全に排出される。
【００６５】
ここで、その凹部４７内には、再接着不可能なシール部材６０が上ケース１６と下ケース１８とに跨がり、かつ天板及び底板を除く３面のうち、少なくとも２面に跨って貼付されているので、ケース１２を不正に分解しても、そのシールされた部分をヒンジとしてケース１２を開放できない構造になっている。つまり、ケース１２を不正に分解した場合には、少なくともどちらか１面に貼付されているシール部材６０の表面基材６２が確実に剥がれ、アルミ蒸着の一部（又は全部でもよい）がケース１２側に残って、警告（ＮＯＴＩＣＥ）等の文字の一部や模様等が現出する構造になっている。
【００６６】
したがって、磁気テープカートリッジ１０（ケース１２）に対する不正行為（分解行為）を心理的に防止することができる。すなわち、磁気テープカートリッジ１０（ケース１２）に対して不正な分解行為が行われた場合には、それを一目で容易かつ確実に認識することができるので、磁気テープカートリッジ１０（ケース１２）を不正に分解しようとする者に対して、分解し難い印象を与えることができる（分解できるという印象を与えないようにできる）。
【００６７】
以上、何れにしても本発明に係るシール部材６０は、上記実施例で説明したものに限定されるものではなく、再接着が不可能であり、一目で剥がされたことが判別できるような改ざん防止用ラベルシールであれば、どのような構成のものでもよい。また、上記実施例では、磁気テープカートリッジ１０を例に採って説明したが、本発明に係る記録メディアは磁気テープＴに限定されるものではなく、光ディスクや磁気ディスク等、広義の記録メディアを含む。そして、本発明は、そのような記録メディアをケース内に収容してなる記録メディアカートリッジ全般に適用することができる。
【図面の簡単な説明】
【００６８】
【図１】磁気テープカートリッジの概略斜視図
【図２】磁気テープカートリッジの概略分解斜視図
【図３】下ケースの概略平面図
【図４】上ケースの概略平面図
【図５】磁気テープカートリッジの前壁側を示す概略斜視図
【図６】シール部材の特徴を示す説明図
【図７】磁気テープカートリッジの角部を示す概略斜視図
【図８】従来の磁気テープカートリッジの後壁側を示す概略斜視図
【符号の説明】
【００６９】
１０  磁気テープカートリッジ（記録メディアカートリッジ）
１２  ケース
１６  上ケース
１８  下ケース
４７  凹部
６０  シール部材
【図１】
2005135487.tif 000003
【図２】
2005135487.tif 000004
【図３】
2005135487.tif 000005
【図４】
2005135487.tif 000006
【図５】
2005135487.tif 000007
【図６】
2005135487.tif 000008
【図７】
2005135487.tif 000009
【図８】
2005135487.tif 000010